(57)【要約】【課題】一般家庭で使用される除湿装置において、部屋の湿度と温度と部屋の大きさと洗濯物の重量を利用して衣類の乾き具合の推定精度を向上させることを目的とする。【解決手段】本発明によれば、除湿装置を使用する部屋の大きさを設定する部屋の大きさ設定手段９と部屋の大きさ設定手段９で設定した内容を表示する部屋の大きさ表示手段１０と乾燥する衣類の重量を設定する衣類重量設定手段１１と衣類重量設定手段１１で設定した内容を表示する衣類重量表示手段１２と部屋の湿度と温度を検知する温湿度センサ８とを備え、温湿度センサ８で検知した部屋の湿度と温度と部屋の大きさ設定手段９で設定した部屋の大きさと衣類重量設定手段１１で設定した衣類の重量から衣類の乾き具合を推定することを可能にし、衣類などの被乾燥物の乾き具合を精度良く推定し自動で停止することができるという効果が得られる。【選択図】図３
2011202813.tif 000002
【特許請求の範囲】
【請求項１】
除湿装置を使用する部屋の大きさを設定する部屋の大きさ設定手段と前記部屋の大きさ設定手段で設定した内容を表示する部屋の大きさ表示手段と乾燥する衣類の重量を設定する衣類重量設定手段と前記衣類重量設定手段で設定した内容を表示する衣類重量表示手段と部屋の湿度と温度を検知する湿度センサと温度センサとを備え、前記湿度センサと前記温度センサで検知した部屋の湿度と温度と前記部屋の大きさ設定手段で設定した部屋の大きさと前記衣類重量設定手段で設定した衣類の重量から衣類の乾き具合を推定して自動で停止することを特徴とする除湿装置。
【請求項２】
衣類の重量を衣類の種類で表示することを特徴とする請求項１記載の除湿装置。
【請求項３】
部屋の大きさを畳の枚数で表示することを特徴とする請求項１乃至２に記載の除湿装置。
【請求項４】
部屋の大きさを面積で表示することを特徴とする請求項１乃至３のいずれかに記載の除湿装置。
【請求項５】
部屋の大きさを部屋の種類で表示することを特徴とする請求項１乃至４のいずれかに記載の除湿装置。
【請求項６】
部屋の大きさを体積で表示することを特徴とする請求項１記載の除湿装置。
【請求項７】
湿度センサに高分子型のセンサを用いることを特徴とする請求項１乃至６のいずれかに記載の除湿装置。
【請求項８】
湿度センサに静電容量型のセンサを用いることを特徴とする請求項１乃至６のいずれかに記載の除湿装置。
【請求項９】
温度センサにサーミスタを用いることを特徴とする請求項１乃至８のいずれかに記載の除湿装置。
【請求項１０】
部屋の大きさ表示手段にＬＥＤを用いることを特徴とする請求項１乃至９のいずれかに記載の除湿装置。
【請求項１１】
部屋の大きさ表示手段に液晶を用いることを特徴とする請求項１乃至９のいずれかに記載の除湿装置。
【請求項１２】
衣類重量表示手段にＬＥＤを用いることを特徴とする請求項１乃至１１のいずれかに記載の除湿装置。
【請求項１３】
衣類重量表示手段に液晶を用いることを特徴とする請求項１乃至１１のいずれかに記載の除湿装置。
【発明の詳細な説明】
【技術分野】
【０００１】
本発明は、主に一般家庭における室内に干した洗濯物の乾燥に使用される除湿装置の洗濯物の乾き具合を推定する精度を向上させる方法に関する。
【背景技術】
【０００２】
従来、この種に関する除湿装置は、衣類などの被乾燥物の乾き具合を室内の湿度や温度などから判断して自動で停止するような使用者にとって使い勝手の良い機能を搭載したものが知られている（例えば、特許文献１参照）。
【０００３】
以下、その除湿装置について説明する。
【０００４】
除湿装置に設けた湿度センサと温度センサの検出値から衣類などの被乾燥物近傍の湿度を推測し、推測した湿度の変化から衣類などの被乾燥物の乾き具合を推定し自動で停止する除湿装置である。
【先行技術文献】
【特許文献】
【０００５】
【特許文献１】特開２００３−４２５１２号公報
【発明の概要】
【発明が解決しようとする課題】
【０００６】
このような従来の除湿装置では、除湿装置を使用する部屋の大きさと衣類などの非乾燥物の重量が、衣類などの被乾燥物の乾き具合を湿度センサや温度センサの検出値から推定するときに想定していた部屋の大きさと衣類などの被乾燥物の重量から大きく外れていた場合、衣類などの被乾燥物近傍の湿度の変化量が想定していた変化量から大きく外れてしまうため、衣類などの被乾燥物の乾き具合を精度良く推定することができないという課題を有していた。
【０００７】
そこで本発明は、上記従来の課題を解決するものであり、除湿装置を使用する部屋の大きさや衣類などの被乾燥物の重量を衣類などの被乾燥物の乾き具合の推定に利用して、衣類などの被乾燥物の乾き具合を精度良く推定し自動で停止することができる除湿装置を提供することを目的としている。
【課題を解決するための手段】
【０００８】
そして、この目的を達成するために、本発明は、除湿装置を使用する部屋の大きさを設定する部屋の大きさ設定手段と前記部屋の大きさ設定手段で設定した内容を表示する部屋の大きさ表示手段と乾燥する衣類の重量を設定する衣類重量設定手段と前記衣類重量設定手段で設定した内容を表示する衣類重量表示手段と部屋の湿度と温度を検知する湿度センサと温度センサとを備え、前記湿度センサと前記温度センサで検知した部屋の湿度と温度と前記部屋の大きさ設定手段で設定した部屋の大きさと前記衣類重量設定手段で設定した衣類の重量から衣類の乾き具合を推定して自動で停止することを特徴としたものであり、これにより所期の目的を達成するものである。
【発明の効果】
【０００９】
本発明によれば、除湿装置を使用する部屋の大きさを設定する部屋の大きさ設定手段と前記部屋の大きさ設定手段で設定した内容を表示する部屋の大きさ表示手段と乾燥する衣類の重量を設定する衣類重量設定手段と前記衣類重量設定手段で設定した内容を表示する衣類重量表示手段と部屋の湿度と温度を検知する湿度センサと温度センサとを備え、前記湿度センサと前記温度センサで検知した部屋の湿度と温度と前記部屋の大きさ設定手段で設定した部屋の大きさと前記衣類重量設定手段で設定した衣類の重量から衣類の乾き具合を推定することを可能にし、衣類などの被乾燥物の乾き具合を精度良く推定し自動で停止することができるという効果を得ることができる。
【図面の簡単な説明】
【００１０】
【図１】本発明の実施の形態１の除湿装置の図
【図２】本発明の実施の形態１の除湿装置の内部の図
【図３】同除湿装置の運転の第１のフローチャート
【図４】同除湿装置のパラメータのデータテーブルの図
【図５】同除湿装置の部屋の大きさのデータテーブルの図
【図６】同除湿装置の衣類重量のフローチャート
【発明を実施するための形態】
【００１１】
本発明の請求項１記載の除湿装置は、除湿装置を使用する部屋の大きさを設定する部屋の大きさ設定手段と前記部屋の大きさ設定手段で設定した内容を表示する部屋の大きさ表示手段と乾燥する衣類の重量を設定する衣類重量設定手段と前記衣類重量設定手段で設定した内容を表示する衣類重量表示手段と部屋の湿度と温度を検知する湿度センサと温度センサとを備え、前記湿度センサと前記温度センサで検知した部屋の湿度と温度と前記部屋の大きさ設定手段で設定した部屋の大きさと前記衣類重量設定手段で設定した衣類の重量から衣類の乾き具合を推定して自動で停止する構成を有する。これにより、部屋の大きさと衣類などの被乾燥物の重量を設定することが可能となり、衣類などの被乾燥物の乾き具合を精度良く推定し自動で停止することができるという効果を奏する。
【００１２】
また、衣類の重量を衣類の種類で表示する構成にしてもよい。これにより、衣類の重量を分かりやすく知らせることができるという効果を奏する。
【００１３】
また、部屋の大きさを畳の枚数で表示する構成にしてもよい。これにより、部屋の大きさを分かりやすく表示することができるという効果を奏する。
【００１４】
また、部屋の大きさを面積で表示する構成にしてもよい。これにより、部屋の大きさを分かりやすく表示することができるという効果を奏する。
【００１５】
また、部屋の大きさを部屋の種類で表示する構成にしてもよい。これにより、部屋の大きさを分かりやすく表示することができるという効果を奏する。
【００１６】
また、部屋の大きさを体積で表示する構成にしてもよい。これにより、部屋の大きさを精度良く設定することができるという効果を奏する。
【００１７】
また、湿度センサに高分子型のセンサを用いる構成にしてもよい。これにより、安価な手段で湿度を検知できるという効果を奏する。
【００１８】
また、湿度センサに静電容量型のセンサを用いることを構成にしてもよい。これにより、湿度を高精度に検知できるという効果を奏する。
【００１９】
また、温度センサにサーミスタを用いる構成にしてもよい。これにより、安価な手段で温度を検知できるという効果を奏する。
【００２０】
また、部屋の大きさ表示手段にＬＥＤを用いる構成にしてもよい。これにより、安価な手段で部屋の大きさを表示できるという効果を奏する。
【００２１】
また、部屋の大きさ表示手段に液晶を用いる構成にしてもよい。これにより、部屋の大きさを絵と文字で分かりやすく表示できるという効果を奏する。
【００２２】
また、衣類重量表示手段にＬＥＤを用いる構成にしてもよい。これにより、安価な手段で衣類の重量を表示できるという効果を奏する。
【００２３】
また、衣類重量表示手段に液晶を用いる構成にしてもよい。これにより、衣類の重量を絵と文字で分かりやすく表示できるという効果を奏する。
【００２４】
以下、本発明の実施の形態について図面を参照しながら説明する。
【００２５】
（実施の形態１）
図１と図２に本発明に関わる除湿装置の全体構成を示す。
【００２６】
図１に示すように、除湿装置は、本体１の天面に除湿装置の操作と運転状態を表示するための操作表示部２と室内の空気を吸い込む吸込口３と除湿された空気を吹き出すための吹出口４と吹出口４から吹き出す空気の風向を上下方向に変化させるための風向ルーバー５と水平方向に送風範囲を変化させる送風範囲ルーバー６と除湿した水分を集めるためのタンク７と室内の空気の温度と湿度を検知する温湿度センサ８を備えている。また、操作表示部２には、除湿装置を使用する部屋の大きさを設定する部屋の大きさ設定手段９と前記部屋の大きさ設定手段９で設定した内容を表示する部屋の大きさ表示手段１０と乾燥する衣類の重量を設定する衣類重量設定手段１１と前記衣類重量設定手段１１で設定した内容を表示する衣類重量表示手段１２を備えている。
【００２７】
図には示していないが、温湿度センサ８は、雰囲気温度の検知と雰囲気湿度の検知ができるものであればよく、温度検知には安価なサーミスタを使用することができ、湿度検知には安価な高分子センサや精度の良い静電容量型センサを使用することができる。
【００２８】
除湿装置の本体１の内部には、図２に示すように、除湿装置の運転を制御する制御装置１３と、吸い込んだ空気の水分を吸着する吸湿材１４と、吸湿材１４を加熱して吸湿材１４から水分を放出させるための再生ヒーターＬ１５と再生ヒーターＨ１６と吸湿材１４から放出される水分を凝縮させるための凝縮器１７と室内の空気を吸込口３から吸い込んで本体１の内部を循環させて除湿した空気を吹出口４から吹き出すためのファン１８と風向ルーバー５と送風範囲ルーバー６を駆動するためのステッピングモータなどが収納されている。ここでの再生ヒーターは、再生ヒーターＬ１５よりも再生ヒーターＨ１６の消費電力の方が大きい構成としているが、それぞれの役割は同じであり、除湿能力を段階的に調整することを可能とするために、このような構成としている。また、制御装置１３には、負荷を駆動するためのトライアックやリレーなどの電子部品で構成された負荷駆動回路１９と、カウンターやタイマーや時計機能などＲＡＭやＲＯＭを内部に持つマイコン２０を備えている。ここで、マイコン２０の動作はマイコン内のカウンターやタイマーや時計機能やＲＡＭやＲＯＭが共同するマイコンのプログラムの形態で実施さる。
【００２９】
上記のように構成した除湿装置において、部屋の大きさと衣類の重量が設定されたときの除湿装置の衣類乾燥運転の方法について、図３から図６を参照しながら説明する。
【００３０】
図３に示すように、ステップ１で電源を投入し、ステップ２で除湿装置の衣類乾燥運転を開始したら、ステップ３に移行して乾燥度Ｄｘの初期値としての乾燥度Ｄｘ１を設定する。
【００３１】
乾燥度Ｄｘとは、一定時間毎に温度と湿度の値により決定される図４に示すパラメータＤの値を減算していき、或る値以下になったときに衣類が乾燥したと判断する値である。そして、初期値としての乾燥度Ｄｘ１は、除湿装置の除湿能力と部屋の大きさと衣類重量による衣類の乾き具合の検証から経験的に決定される値であり、ここでは部屋の大きさが６畳かつ衣類重量が６ｋｇのときの値として、予めマイコン２０に記憶しておく一定値である。また、パラメータＤは、衣類などの被乾燥物を乾燥させると部屋の温度と湿度が変化していくが、この温度と湿度の変化と衣類などの被乾燥物の乾き具合の検証から経験的に決定される値である。さらに、乾燥度Ｄｘの初期値としての乾燥度Ｄｘ１は、図４に示すパラメータＤよりも非常に大きい値である。次にステップ４に移行して、部屋の大きさ設定手段９で設定されている部屋の大きさを確認する。ここで、部屋の大きさが設定されていればステップ５に移行して、図５に示す部屋の大きさの係数Ｆを決定する。
【００３２】
係数Ｆとは、除湿装置の除湿能力と部屋の大きさによる衣類の乾き具合の検証から経験的に決定される値である。ここでは部屋の大きさが６畳のときを１とし、部屋の大きさが６畳より大きいときは１よりも小さい正の値を設定し、部屋の大きさが６畳よりも小さいときは１よりも小さい負の値を設定している。これにより、部屋の大きさを考慮して乾燥度Ｄｘの初期値としての乾燥度Ｄｘ１を増減させて、除湿装置の運転時間を部屋の大きさに合わせて調節することが可能となる。
【００３３】
もし、ステップ４で部屋の大きさ設定手段９が設定されていなければ、ステップ１５に移行して、部屋の大きさの係数Ｆに０．０を設定する。次にステップ６に移行して、衣類重量設定手段１１で設定されている衣類重量を確認する。ここで、衣類重量が設定されていればステップ７に移行して、図６に示す衣類重量の係数Ｇを決定する。
【００３４】
係数Ｇとは、除湿装置の除湿能力と衣類重量による衣類の乾き具合の検証から経験的に決定される値である。ここでは衣類重量が６ｋｇのときを１とし、衣類重量が６ｋｇより大きいときは１よりも小さい正の値を設定し、衣類重量が６ｋｇよりも小さいときは１よりも小さい負の値を設定している。これにより、衣類重量を考慮して乾燥度Ｄｘの初期値としての乾燥度Ｄｘ１を増減させて、除湿装置の運転時間を衣類重量に合わせて調節することが可能となる。
【００３５】
もし、ステップ６で衣類重量設定手段１１が設定されていなければ、ステップ１６に移行して、衣類重量の係数Ｇに０．０を設定する。次にステップ８に移行して、乾燥度Ｄｘ１に部屋の大きさの係数Ｆと衣類重量の係数Ｇを乗算して、部屋の大きさと衣類重量の影響を考慮した乾燥度Ｄｘ２を計算する。そして、ステップ９で一定時間Ｔ経過後、ステップ１０に移行して、温湿度センサ８から部屋の湿度Ｈと温度Ｒを検知する。次にステップ１１に移行して、図４に示すパラメータＤを部屋の湿度Ｈと温度Ｒから選択する。
【００３６】
そして、ステップ１２にて乾燥度Ｄｘ２からパラメータＤを減算して乾燥度Ｄｘを算出し、ステップ１３にて乾燥度Ｄｘ２を乾燥度Ｄｘの値に更新する。次にステップ１４で乾燥度Ｄｘの値が零以下であるかどうかを確認し、乾燥度Ｄｘが零以下でなければ、衣類などの被乾燥物が乾いていないと推定してステップ９に移行する。ステップ１４にて乾燥度Ｄｘが零になっていなければ、ステップ９からステップ１４を繰り返す。そして、ステップ１４で乾燥度Ｄｘが零以下になったら、ステップ１７に移行し、衣類などの被乾燥物が乾いたと推定して、除湿装置の運転を停止する。このような運転をすることで、部屋の大きさと衣類などの被乾燥物の重量を設定することが可能となり、衣類などの被乾燥物の乾き具合を精度良く推定し自動で停止することができる除湿装置が得られる。
【００３７】
ここでは、乾燥度Ｄｘ１に係数をかけて部屋の大きさと衣類重量の影響を反映しているが、元のデータを部屋の大きさと衣類重量により最適に変更する方法であれば、その方法に限定されず、その作用効果に差異は生じない。
【００３８】
また、図には示していないが、部屋の大きさを面積で表示しても良く、部屋の面積などと一緒に部屋の種類を合わせて表示すれば、部屋の大きさを分かり易くすることができる。
【００３９】
また、図には示していないが、部屋の大きさを体積で表示すれば、部屋の大きさの精度を上げることが可能となる。
【００４０】
また、図には示していないが、部屋の大きさと衣類重量の表示にＬＥＤを用いれば、安価な方法で表示を実現することができる。
【００４１】
図には示していないが、部屋の大きさと衣類重量の表示に液晶を用いれば、文字と絵による分かりやすい表示を実現することができる。
【産業上の利用可能性】
【００４２】
本発明にかかる除湿装置は、部屋の大きさと衣類の重量を考慮して衣類乾燥の乾き具合を精度良く推定することを可能とするものであるので、一般家庭で使用される家電機器の衣類乾燥の自動運転として有用である。
【符号の説明】
【００４３】
１    本体
２    操作表示部
３    吸込口
４    吹出口
５    風向ルーバー
６    送風範囲ルーバー
７    タンク
８    温湿度センサ
９    部屋の大きさ設定手段
１０  部屋の大きさ表示手段
１１  衣類重量設定手段
１２  衣類重量表示手段
１３  制御装置
１４  吸湿材
１５  再生ヒーターＬ
１６  再生ヒーターＨ
１７  凝縮器
１８  ファン
１９  負荷駆動回路
２０  マイコン
【図１】
2011202813.tif 000003
【図２】
2011202813.tif 000004
【図３】
2011202813.tif 000005
【図４】
2011202813.tif 000006
【図５】
2011202813.tif 000007
【図６】
2011202813.tif 000008